(57)【要約】【課題】  本発明は、犯罪の抑制のみならず自然災害時にも適用可能な付加価値を有した自販機を提供するものである。【解決手段】  提供する商品の商品見本２ａを配置した商品選択用表示部２を備えた自販機１において、該自販機本体１ａには、自販機１にて購入可能な商品見本２ａ群にはない各種商品、各種情報サービス等に関連する自販機取扱商品非関連装置８ａを人的操作によって駆動させるための自販機取扱商品非関連装置駆動操作部８と、前記自販機取扱商品非関連装置８ａが駆動した際に作動する外部告知部１２とが設けられてなることを特徴とする。【選択図】                  図１
2007109187.tif 000002
【特許請求の範囲】
【請求項１】
提供する商品の商品見本（２ａ）を配置した商品選択用表示部（２）を備えた自販機（１）において、該自販機本体（１ａ）には、自販機（１）にて購入可能な商品見本（２ａ）群にはない各種商品、各種情報サービス等に関連する自販機取扱商品非関連装置（８ａ）を人の接触操作によって駆動させるための自販機取扱商品非関連装置駆動操作部（８）と、前記自販機取扱商品非関連装置（８ａ）が駆動した際に作動する外部告知部（１２）とが設けられてなることを特徴とする自販機。
【発明の詳細な説明】
【技術分野】
【０００１】  本発明は、自販機に関し、更に詳しくは、犯罪の抑制のみならず自然災害時にも適用可能な自販機に関するものである。
【背景技術】
【０００２】  従来、この種付加価値を有した自販機としては、例えば、特開２００３−１６８１５４号公報記載の自販機が存在する。【０００３】  上記自販機は、自販機本体に多目的フリースペースとして使用可能な各種物品及び／又は各種装置の収納部が商品選択用表示部とは別個に設けられているものである。
【特許文献１】  特開２００３−１６８１５４号公報
【発明の開示】
【発明が解決しようとする課題】
【０００４】  本発明が解決しようとする問題点は、以下のとおりである。
即ち、上記自販機は、一般消費者の興味をひいて商品の購買意欲を高めることが出来るという付加価値を自販機にもたせることが出来るものであるが、日本独自に発展した自販機は、各都市に限らず、地方も含めありとあらゆる場所に設置されており、商品を販売するに限らず、日々を暮らす人々に対して何らかの役に立てることが出来ないかが問われていた。
【課題を解決するための手段】
【０００５】  即ち、本発明は、犯罪の抑制のみならず自然災害時にも適用可能な付加価値を有した自販機を提供することを課題とするものである。
【発明の効果】
【０００６】  即ち、本発明にかかる自販機１は、購入可能な商品見本２ａ群にはない各種商品、各種情報サービス等に関連する自販機取扱商品非関連装置８ａを人の接触操作によって駆動させるべく押しボタン式、レバー式、ダイヤル式等を用いた自販機取扱商品非関連装置駆動スイッチ９を備えた自販機取扱商品非関連装置駆動操作部８が設けられてなることから、老若男女を問わず、押しボタン式、レバー式、ダイヤル式等の簡単な機械的な動作（携帯電話を介しての通信動作やソフトを起動させることなくアナログ的動作）を伴う人の接触操作を介して誰でも簡単且つ確実に自販機１で販売される商品以外の各種商品、各種情報サービスを日本全国ありとあらゆる場所に設置された自販機１から瞬時に得ることが可能となり、しいては特にパソコン等の知識を有さない幼児〜少年のみならずお年寄りであっても他人に操作に関する説明等を一切聞くことなく自らの意志で自販機を情報端末の一部として有効に活用することが出来るという効果を奏する。【０００７】  尚、上記自販機取扱商品非関連装置８ａは、あくまで販売商品見本２ａ群にはない各種商品、各種情報サービス等を提供すべく駆動すればよく、よってかかる自販機取扱商品非関連装置８ａが商品見本２ａ群に関連する何らかの動作を行いながら販売商品見本２ａ群にはない各種商品、各種情報サービス等に関連する動作を並行処理すべく駆動してもよいのは言うまでもない。【０００８】  更に、自販機本体１ａには、携帯電話やノートパソコン，ＰＤＡ等（図示せず）のモバイルツール等に具備されたカメラシステム（画像取り込み記録装置）を介して自販機取扱商品及び／又は自販機取扱商品非関連の各種商品、各種情報サービス等の情報を簡単に得ることが可能なデータ画像出力部１０が設けられてなることから、煩わしい通信操作を一切行うことなく、カメラシステムを駆動させた後、該データ画像出力部１０より所定の画像に取り込むだけで、自販機１を介して商店街等の当たりくじ情報や各店舗や企業の広告情報を携帯電話やノートパソコン，ＰＤＡ等（図示せず）のモバイルツールの通信機能を介して後ほど得ることが出来るという効果を有する。【０００９】  尚、上記データ画像出力部１０から得られる画像データの種類は一切限定されないが、２次元バーコード及びそれに準じた画像データが多くの情報量を有する点でより好ましい。【００１０】  更に、自販機本体１ａには、自販機１前の一定範囲の状況と自販機１前及び／又は前方周辺に存在する人の顔を判別可能に撮影可能な撮影装置１１が設けられ、しかもかかる撮影装置１１は、自販機取扱商品非関連装置８ａが駆動した際に作動することから、通行中において、不審者から逃げたり、チカンに遭遇した被害者が一時的に避難してきた際に、パソコン等の知識を有さない幼児〜少年のみならずお年寄りであっても人の接触操作によって簡単且つ確実に撮影装置１１を作動させることで全く新しいセキュリティエリアとして日本全国の広範囲に設置された自販機１を有効に活用しつつ、しかも撮影装置１１があるが故に、例え不審者や犯罪人等が追ってきた場合でも近づくことが出来ないばかりか、場合によっては顔も判別可能に撮影されることから犯罪の防止のみならず事件��早期解決にも繋がることとなり犯罪撲滅にも貢献することが出来るという効果がある。【００１１】  よって、不審者や犯罪人等が自販機１に近づくことを躊躇している際に、声を張り上げたり物音を発てることで、周囲の民家や通行人等に緊急事態を知らしめて犯罪撲滅により拍車をかけることが出来るという効果を奏する。【００１２】  尚、上記自販機取扱商品非関連装置８ａが駆動した際に撮影装置１１を介して撮影された人の撮影データは単体の静止画、連続静止画または動画の何れであってもよく、かかる撮影データは撮影装置１１に直接又は間接的に設けられた記録媒体を介して所定のカット毎及び／又は時系列等で記録されることとなり、よって記録媒体に記録された撮影データを後述するデータ通信装置を介してリアルタイムに警察や警備保障等の所定の管理センター等に送った場合には、現場へ迅速且つ確実に急行することが可能となり、しいては犯罪を未然に防止することや拡大するのを抑制することが出来るという効果を奏する。【００１３】  又、自販機本体１ａには、自販機取扱商品非関連装置８ａが駆動した際に作動する外部告知部１２が設けられ、且つかかる外部告知部１２は、何らかの音声メッセージや警報音を告知する音声発生器が設けられている場合には、周囲の民家や通行人等に緊急事態を知らしめて犯罪撲滅に活用出来るという効果があるが、必ずしも音声発生器がある必要はなく、緊急用の有色回転灯や点滅灯からなる発光器を具備してもよく、この場合には、特に夜間等の通行中において、不審者から逃げたり、チカンに遭遇した被害者が一時的に避難して身を寄せることが出来るセキュリティエリアに自販機１を有効に活用しつつ周囲の民家や通行人等に緊急事態を知らしめて犯罪撲滅に活用出来る効果があるが、要は音声発生器又は発光器の少なくとも何れか一方が外部告知部１２に具備されていればよい。【００１４】  更に、上記外部告知部１２が、例えば夜間等において、前記撮影装置１１にて自販機１前及び／又は前方周辺に存在する人の顔を判別可能に撮影可能とすべく所定の光量で発光する場合には、発光時間は瞬間的に終わるものより、前記撮影装置１１が一定時間作動しつつ複数の静止画、連続静止画または動画を撮影記録している間に連続発光するのがより好ましく、この場合には、自販機取扱商品非関連装置駆動スイッチ９が押されてから自販機１前の一定範囲の状況と自販機１前及び／又は前方周辺に存在する人の顔を判別可能に撮影可能なことから、特に夜間等の通行中において、不審者から逃げたり、チカンに遭遇した被害者が一時的に避難して身を寄せることが出来るセキュリティエリアに自販機１を活用した場合に、不審者や加害者が自らの顔が撮影されるのを嫌い、しいては自販機１に近づかなくなって結果として通行人の財産や生命を守ることが出来るという効果がある。【００１５】  又、上記の如く外部告知部１２が所定の光量で発光する場合において、必ずしも自販機取扱商品非関連装置駆動スイッチ９が押された時にのみ発光するに限らず、例えば通常は自販機１及び商品見本２ａ群を照らす照明具（図示せず）が前記スイッチ９を介して照度及び／又は照らす範囲の指向性を向上させるべく外部告知部１２として機能してもよいのは���うまでもない。【００１６】  更に、自販機本体１ａには、販売された商品の品種、数量、売上額等を管理する販売管理装置１３が設けられ、且つかかる販売管理装置１３には販売により在庫が減少した商品を自ら選定して補充すべく自動発注する補充関連データ自動発注装置１４とベンダー等の商品販売業者の指定する有線又は無線等の通信手段に接続されるデータ通信装置１５とが設けられてなることから、ベンダーや商品販売業者が巡回にて商品補充を行うに比し、確実な各商品毎の減りを自販機１側からの告知によりリアルタイムで知るこことが出来、よって不用意な欠品を起こすことを確実に防止することが出来るという効果を奏する。【００１７】  更に、自販機本体１ａには、自販機１を設置する場所の所有者や管理人（個人及び／又は法人）に販売管理装置１３にて管理する販売済の商品の品種、数量等（売上額は必ずしも必須ではないが、告知する構成であってもよい。）の自販機取扱商品販売実績データを提供するための自販機設置管理者用販売データ出力装置１６と、該自販機設置管理者用販売データ出力装置１６が管理する自販機取扱商品販売実績データを取り出すための販売データ外部出力部１６ａが設けられてなるこから、ベンダーや商品販売業者の補充申告のみの売り上げに比し、日々の売り上げを自販機１を設置する場所の所有者自身や管理人自身が確実に把握することが可能となり、よって特に自販機１の売り上げが高額となる、例えば、パチンコ店等の遊技場での日毎の会計業務、即ち、損益計算書や貸借対象表をより正確に作成して経営の指針に役立たせることが出来るという経営上の効果がある。【００１８】  又、自販機本体１ａには、液晶等の画面からなる情報表示部１７が設けられ、しかもかかる情報表示部１７は自販機１にて販売する商品見本２ａ群に関する情報のみならず、売商品見本２ａ群にはない各種商品、各種情報サービス等の情報を前記自販機取扱商品非関連装置８ａが駆動した際、又は前記データ通信装置１５を介して入力される各種データにより適宜変更して表示することが出来ることから、自然災害時の緊急連絡や自治会等の連絡事項、犯罪発生の各種ニュースを極めて効率よく広範囲に知らしめることが出来るという効果がある。【００１９】  尚、上記情報表示部１７には、図柄や文字を一方から他方へ流れるように表示することが出来るだけでなく、例えば、複数の画面（図示せず）から情報表示部１７が形成されていてもよく、又情報表示部１７が一つの画面内に複数の情報画面（マルチウィンド）を表示する構成であってもよく、よって、複数の画面や複数の情報画面から情報表示部１７が形成されている場合において、自販機１に設けられた操作手段を介して手動により所定の画面や所定の情報画面のみを表示可能に切り替え、その後切り替えた画面の情報のみを更に詳細に表示したり、又かかる情報のみを前記データ画像出力部１０から携帯電話やノートパソコン，ＰＤＡ等（図示せず）のモバイルツール等に具備されたカメラシステムにより自販機取扱商品及び／又は自販機取扱商品非関連の各種商品、各種情報サービス等の情報を簡単に得ることが出来るという効果を奏する。
【発明を実施するための最良の形態】
【００２０】  以下、本発明における自販機の一実施形態を図面に従って説明する。
【第一実施形態】
【００２１】  図１において、１は自販機を示すと共に、１ａは自販機本体を示す。
２は自販機本体１ａの正面に位置するように上下３段（必ずしも３段に限定されるものではなく、１列のみであっても２段であってもよく、段数や配列等も決して限定されないのは言うまでもない。）に配列された個々の商品見本２ａと、該商品見本２ａの夫々に対応した商品選択ボタン２ｂを備えた商品選択用表示部を示す。
【００２２】  ３は紙幣投入口を示すと共に、４は貨幣投入口を示し、５は自販機本体１ａに投入した紙幣及び貨幣並びに商品購入後の釣り銭等を排出させるための返却ダイヤルを示すと共に、６は釣り銭排出口を示す。
【００２３】  ７は商品取り出し口を示すと共に、８は上記自販機１にて購入可能な上記商品見本２ａ群にはない各種商品、各種情報サービス等に関連する自販機取扱商品非関連装置８ａを人的操作によって駆動させるための自販機取扱商品非関連装置駆動操作部を示す。（尚、ここでいう自販機取扱商品非関連装置８ａは、あくまで販売商品見本２ａ群にはない各種商品、各種情報サービス等を提供すべく駆動すればよく、よってかかる自販機取扱商品非関連装置８ａが商品見本２ａ群に関連する何らかの動作を行いながら販売商品見本２ａ群にはない各種商品、各種情報サービス等に関連する動作を並行処理すべく駆動してもよい。）
【００２４】  ９は自販機取扱商品非関連装置駆動スイッチ（かかるスイッチは押しボタン式であってもよいがレバー式、ダイヤル式であってもよく、該チイッチの種類、形状、大きさ等も決して限定されないのは言うまでもない。）を示し、１０は携帯電話やノートパソコン，ＰＤＡ等（図示せず）のモバイルツール等に具備されたカメラシステム（画像取り込み記録装置）を介して自販機取扱商品及び／又は自販機取扱商品非関連の各種商品、各種情報サービス等の情報を簡単に得ることが可能なデータ画像出力部を示す。（特に画像の種類は限定されないが、具体的には２次元バーコードが好ましい。）
【００２５】  １１は自販機１前の一定範囲の状況と自販機１前及び／又は前方周辺に存在する人の顔を判別可能に撮影可能な撮影装置を示し、かかる撮影装置１１は上記自販機取扱商品非関連装置８ａが駆動した際に作動するものである。（尚、かかる撮影装置１１を介して撮影された人の撮影データは単体の静止画、連続静止画または動画の何れであってもよく、かかる撮影データは撮影装置１１に直接又は間接的に設けられた記録媒体を介して所定のカット毎及び／又は時系列等で記録されることになる。）
【００２６】  １２は前記自販機取扱商品非関連装置８ａが駆動した際に作動する外部告知部を示し、かかる外部告知部１２は、何らかの音声メッセージや警報音を告知する音声発生器を具備した構成でもよいが、緊急用の有色回転灯や点滅灯からなる発光器を具備していてもよく、この場合には、特に夜間等の通行中において、不審者から逃げたり、チカンに遭遇した被害者が一時的に避難して身を寄せることが出来るセキュリティエリアに自販機１を有効に活用しつつ周囲の民家や通行人等に緊急事態を知らしめて犯罪撲滅に活用出来る利点があり、要は音声発生器又は発光器の少なくとも何れか一方が外部告知部１２に具備されていればよい。
【００２７】  更に上記外部告知部１２が、例えば夜間等において、前記撮影装置１１にて自販機１前及び／又は前方周辺に存在する人の顔を判別可能に撮影可能とすべく所定の光量で発光する場合において、発光時間は瞬間的に終わるものより、前記撮影装置１１が一定時間作動しつつ複数の静止画、連続静止画または動画を撮影記録している間に連続発光するのがより好ましく、この場合には、自販機取扱商品非関連装置駆動スイッチ９が押されてから自販機１前の一定範囲の状況と自販機１前及び／又は前方周辺に存在する人の顔を判別可能に撮影可能なことから、特に夜間等の通行中において、不審者から逃げたり、チカンに遭遇した被害者が一時的に避難して身を寄せることが出来るセキュリティエリアに自販機１を活用した場合に、不審者や加害者が自らの顔が撮影されるのを嫌い、しいては自販機１に近づかなくなって結果として通行人の財産や生命を守ることが出来るという利点がある。
【００２８】  又、上記の如く外部告知部１２が所定の光量で発光する場合において、必ずしも自販機取扱商品非関連装置駆動スイッチ９が押された時にのみ発光するに限らず、例えば通常は自販機１及び商品見本２ａ群を照らす照明具（図示せず）が前記スイッチ９を介して照度及び／又は照らす範囲の指向性を向上させるべく外部告知部１２として機能してもよいのは言うまでもない。
【００２９】  １３は販売された商品の品種、数量、売上額等を管理する販売管理装置を示し、１４は販売管理装置１３に接続され、且つ販売により在庫が減少した商品を自ら選定して補充すべく自動発注する補充関連データ自動発注装置を示すと共に、１５はベンダー等の商品販売業者の指定する有線又は無線等の通信手段に接続されるデータ通信装置を示す。
【００３０】  １６は自販機１を設置する場所の所有者や管理人（個人及び／又は法人）に販売管理装置１３にて管理する販売済の商品の品種、数量等（売上額は必ずしも必須ではないが、告知する構成であってもよい。）の自販機取扱商品販売実績データを提供するための自販機設置管理者用販売データ出力装置を示し、１６ａは自販機設置管理者用販売データ出力装置１６の管理する販売データを取り出すための販売データ外部出力部を示す。
【００３１】  １７は、液晶等の画面からなる情報表示部を示し、かかる情報表示部１７は自販機１にて販売する商品見本２ａ群に関する情報のみならず、売商品見本２ａ群にはない各種商品、各種情報サービス等の情報を前記自販機取扱商品非関連装置８ａが駆動した際、又は前記データ通信装置１５を介して入力される各種データにより適宜変更して表示することが出来るものである。
【００３２】  尚、上記情報表示部１７には、図柄や文字を一方から他方へ流れるように表示することが出来るだけでなく、例えば、複数の画面（図示せず）から情報表示部１７が形成されていてもよく、又情報表示部１７が一つの画面内に複数の情報画面（マルチウィンド）を表示する構成であってもよく、よって、複数の画面や複数の情報画面から情報表示部１７が形成されている場合において、自販機１に設けられた操作手段を介して手動により所定の画面や所定の情報画面のみを表示可能に切り替え、その後切り替えた画面の情報のみを更に詳細に表示したり、又かかる情報のみを前記データ画像出力部１０から携帯電話やノートパソコン，ＰＤＡ等（図示せず）のモバイルツール等に具備されたカメラシステムにより自販機取扱商品及び／又は自販機取扱商品非関連の各種商品、各種情報サービス等の情報を簡単に得ることが出来る。
【００３３】  本発明の一実施形態における自販機１は上記構成からなり、よって、購入可能な商品見本２ａ群にはない各種商品、各種情報サービス等に関連する自販機取扱商品非関連装置８ａを人の接触操作によって駆動させるべく押しボタン式、レバー式、ダイヤル式等を用いた自販機取扱商品非関連装置駆動スイッチ９を備えた自販機取扱商品非関連装置駆動操作部８が設けられてなることから、老若男女を問わず、押しボタン式、レバー式、ダイヤル式等の簡単な機械的な動作（携帯電話を介しての通信動作やソフトを起動させることなくアナログ的動作）を伴う人の接触操作を介して誰でも簡単且つ確実に自販機１で販売される商品以外の各種商品、各種情報サービスを日本全国ありとあらゆる場所に設置された自販機１から瞬時に得ることが可能となり、しいては特にパソコン等の知識を有さない幼児〜少年のみならずお年寄りであっても他人に操作に関する説明等を一切聞くことなく自らの意志で自販機を情報端末の一部として有効に活用することが出来るという利点がある。
【００３４】  尚、上記自販機取扱商品非関連装置８ａは、あくまで販売商品見本２ａ群にはない各種商品、各種情報サービス等を提供すべく駆動すればよく、よってかかる自販機取扱商品非関連装置８ａが商品見本２ａ群に関連する何らかの動作を行いながら販売商品見本２ａ群にはない各種商品、各種情報サービス等に関連する動作を並行処理すべく駆動してもよいのは言うまでもない。
【００３５】  更に、自販機本体１ａには、携帯電話やノートパソコン，ＰＤＡ等（図示せず）のモバイルツール等に具備されたカメラシステム（画像取り込み記録装置）を介して自販機取扱商品及び／又は自販機取扱商品非関連の各種商品、各種情報サービス等の情報を簡単に得ることが可能なデータ画像出力部１０が設けられてなることから、煩わしい通信操作を一切行うことなく、カメラシステムを駆動させた後、該データ画像出力部１０より所定の画像に取り込むだけで、自販機１を介して商店街等の当たりくじ情報や各店舗や企業の広告情報を携帯電話やノートパソコン，ＰＤＡ等（図示せず）のモバイルツールの通信機能を介して後ほど得ることが出来るという利点がある。
【００３６】  尚、上記データ画像出力部１０から得られる画像データの種類は一切限定されないが、２次元バーコード及びそれに準じた画像データが多くの情報量を有する点でより好ましい。
【００３７】  更に、自販機本体１ａには、自販機１前の一定範囲の状況と自販機１前及び／又は前方周辺に存在する人の顔を判別可能に撮影可能な撮影装置１１が設けられ、しかもかかる撮影装置１１は、自販機取扱商品非関連装置８ａが駆動した際に作動することから、通行中において、不審者から逃げたり、チカンに遭遇した被害者が一時的に避難してきた際に、パソコン等の知識を有さない幼児〜少年のみならずお年寄りであっても人の接触操作によって簡単且つ確実に撮影装置１１を作動させることで全く新しいセキュリティエリアとして日本全国の広範囲に設置された自販機１を有効に活用しつつ、しかも撮影装置１１があるが故に、例え不審者や犯罪人等が追ってきた場合でも近づくことが出来ないばかりか、場合によっては顔も判別可能に撮影されることから犯罪の防止のみならず事件の早期解決にも繋がることとなり犯罪撲滅にも貢献することが出来るという利点がある。
【００３８】  よって、不審者や犯罪人等が自販機１に近づくことを躊躇している際に、声を張り上げたり物音を発てることで、周囲の民家や通行人等に緊急事態を知らしめて犯罪撲滅により拍車をかけることが出来るという利点を奏する。
【００３９】  尚、上記自販機取扱商品非関連装置８ａが駆動した際に撮影装置１１を介して撮影された人の撮影データは単体の静止画、連続静止画または動画の何れであってもよく、かかる撮影データは撮影装置１１に直接又は間接的に設けられた記録媒体を介して所定のカット毎及び／又は時系列等で記録されることとなり、よって記録媒体に記録された撮影データを後述するデータ通信装置を介してリアルタイムに警察や警備保障等の所定の管理センター等に送った場合には、現場へ迅速且つ確実に急行することが可能となり、しいては犯罪を未然に防止することや拡大するのを抑制することが出来るという利点を奏する。
【００４０】  又、自販機本体１ａには、自販機取扱商品非関連装置８ａが駆動した際に作動する外部告知部１２が設けられ、且つかかる外部告知部１２は、何らかの音声メッセージや警報音を告知する音声発生器が設けられている場合には、周囲の民家や通行人等に緊急事態を知らしめて犯罪撲滅に活用出来るという効果があるが、必ずしも音声発生器がある必要はなく、緊急用の有色回転灯や点滅灯からなる発光器を具備してもよく、この場合には、特に夜間等の通行中において、不審者から逃げたり、チカンに遭遇した被害者が一時的に避難して身を寄せることが出来るセキュリティエリアに自販機１を有効に活用しつつ周囲の民家や通行人等に緊急事態を知らしめて犯罪撲滅に活用出来る効果があるが、要は音声発生器又は発光器の少なくとも何れか一方が外部告知部１２に具備されていればよい。
【００４１】  更に、上記外部告知部１２が、例えば夜間等において、前記撮影装置１１にて自販機１前及び／又は前方周辺に存在する人の顔を判別可能に撮影可能とすべく所定の光量で発光する場合には、発光時間は瞬間的に終わるものより、前記撮影装置１１が一定時間作動しつつ複数の静止画、連続静止画または動画を撮影記録している間に連続発光するのがより好ましく、この場合には、自販機取扱商品非関連装置駆動スイッチ９が押されてから自販機１前の一定範囲の状況と自販機１前及び／又は前方周辺に存在する人の顔を判別可能に撮影可能なことから、特に夜間等の通行中において、不審者から逃げたり、チカンに遭遇した被害者が一時的に避難して身を寄せることが出来るセキュリティエリアに自販機１を活用した場合に、不審者や加害者が自らの顔が撮影されるのを嫌い、しいては自販機１に近づかなくなって結果として通行人の財産や生命を守ることが出来るという利点がある。
【００４２】  又、上記の如く外部告知部１２が所定の光量で発光する場合において、必ずしも自販機取扱商品非関連装置駆動スイッチ９が押された時にのみ発光するに限らず、例えば通常は自販機１及び商品見本２ａ群を照らす照明具（図示せず）が前記スイッチ９を介して照度及び／又は照らす範囲の指向性を向上させるべく外部告知部１２として機能してもよいのは言うまでもない。
【００４３】  更に、自販機本体１ａには、販売された商品の品種、数量、売上額等を管理する販売管理装置１３が設けられ、且つかかる販売管理装置１３には販売により在庫が減少した商品を自ら選定して補充すべく自動発注する補充関連データ自動発注装置１４とベンダー等の商品販売業者の指定する有線又は無線等の通信手段に接続されるデータ通信装置１５とが設けられてなることから、ベンダーや商品販売業者が巡回にて商品補充を行うに比し、確実な各商品毎の減りを自販機１側からの告知によりリアルタイムで知るこことが出来、よって不用意な欠品を起こすことを確実に防止することが出来るという利点を奏する。
【００４４】  更に、自販機本体１ａには、自販機１を設置する場所の所有者や管理人（個人及び／又は法人）に販売管理装置１３にて管理する販売済の商品の品種、数量等（売上額は必ずしも必須ではないが、告知する構成であってもよい。）の自販機取扱商品販売実績データを提供するための自販機設置管理者用販売データ出力装置１６と、該自販機設置管理者用販売データ出力装置１６が管理する自販機取扱商品販売実績データを取り出すための販売データ外部出力部１６ａが設けられてなるこから、ベンダーや商品販売業者の補充申告のみの売り上げに比し、日々の売り上げを自販機１を設置する場所の所有者自身や管理人自身が確実に把握することが可能となり、よって特に自販機１の売り上げが高額となる、例えば、パチンコ店等の遊技場での日毎の会計業務、即ち、損益計算書や貸借対象表をより正確に作成して経営の指針に役立たせることが出来るという経営上の利点がある。
【００４５】  又、自販機本体１ａには、液晶等の画面からなる情報表示部１７が設けられ、しかもかかる情報表示部１７は自販機１にて販売する商品見本２ａ群に関する情報のみならず、売商品見本２ａ群にはない各種商品、各種情報サービス等の情報を前記自販機取扱商品非関連装置８ａが駆動した際、又は前記データ通信装置１５を介して入力される各種データにより適宜変更して表示することが出来ることから、自然災害時の緊急連絡や自治会等の連絡事項、犯罪発生の各種ニュースを極めて効率よく広範囲に知らしめることが出来るという利点がある。
【００４６】  尚、上記情報表示部１７には、図柄や文字を一方から他方へ流れるように表示することが出来るだけでなく、例えば、複数の画面（図示せず）から情報表示部１７が形成されていてもよく、又情報表示部１７が一つの画面内に複数の情報画面（マルチウィンド）を表示する構成であってもよく、よって、複数の画面や複数の情報画面から情報表示部１７が形成されている場合において、自販機１に設けられた操作手段を介して手動により所定の画面や所定の情報画面のみを表示可能に切り替え、その後切り替えた画面の情報のみを更に詳細に表示したり、又かかる情報のみを前記データ画像出力部１０から携帯電話やノートパソコン，ＰＤＡ等（図示せず）のモバイルツール等に具備されたカメラシステムにより自販機取扱商品及び／又は自販機取扱商品非関連の各種商品、各種情報サービス等の情報を簡単に得ることが出来るという利点を奏する。
【００４７】  而して、本発明にかかる自販機の具体的な構造、種類等も本発明の意図する範囲内で任意に設計変更自在であるのは言うまでもない。
【産業上の利用可能性】
【００４８】  本発明は、犯罪の抑制のみならず自然災害時にも適用可能な付加価値を備えた自販機にに関するものである。
【図面の簡単な説明】
【００４９】
【図１】本発明における自販機の正面図。
【符号の説明】
【００５０】  １…自販機
１ａ…自販機本体
２…商品選択用表示部
３…紙幣投入口
４…貨幣投入口
５…返却ダイヤル
６…釣り銭排出口
７…商品取り出し口
８…自販機取扱商品非関連装置駆動操作部
８ａ…自販機取扱商品非関連装置
９…自販機取扱商品非関連装置駆動スイッチ
１０…データ画像出力部
１１…撮影装置
１２…外部告知部
１３…データ通信装置
１４…補充関連データ自動発注装置
１５…データ通信装置
１６…自販機設置管理者用販売データ出力装置
１７…情報表示部
【図１】
2007109187.tif 000003